(57)【要約】【課題】建具が室外側に湾曲して調整桟に負荷がかかるとしても調整桟が上框から外れたり倒れ込んだりすることを防止できる。【解決手段】リフォーム用の雨戸パネル８は、既設の上枠と下枠の溝部に取り付ける。雨戸パネル８は、上框１３に進退可能な調整桟２１を取り付けてその進退方向の長さを調整可能とした。上框１３と縦框１５の角部に端部キャップ３３を設けて突起部３４を調整桟２１の端部開口に挿入して固定した。端部キャップ３３に挿入した補強鉄芯３５の下端部を縦框１５の鉄芯３７内に挿入させ、補強鉄芯３５と縦框１５と鉄芯３７と上框１３を固定ねじで固定し、端部キャップ３３と調整桟２１を補強した。【選択図】図５
2019019543.tif 000002
【特許請求の範囲】
【請求項１】
左右の縦框と上下の横框とでパネルを框組してなる建具において、
前記横框に進退可能な調整桟を取り付けてその進退方向の長さを調整可能とし、
前記縦框の端部にはキャップが設けられ、前記キャップは前記調整桟に連結されていることを特徴とする建具。
【請求項２】
前記縦框と前記キャップの一方に第１補強部材が固定され、他方に前記第１補強部材がオーバーラップして配置されている請求項１に記載された建具。
【請求項３】
前記縦框は補強芯材を更に備え、前記第１補強部材と前記補強芯材とは少なくとも端部が重なるように配置されている請求項２に記載された建具。
【請求項４】
前記横框と前記調整桟との間には、第２補強部材が跨って配置され、
前記横框と前記第２補強部材と前記パネルとが固定部材で連結されている請求項１から３のいずれか１項に記載された建具。
【発明の詳細な説明】
【技術分野】
【０００１】
本発明は、雨戸パネル等を含む建具の一方向長さを調整できるようにした建具に関する。
【背景技術】
【０００２】
従来、既設の住宅をリフォームすることが広く行われている。雨戸パネルのリフォームをする場合、経時的に雨戸パネルの枠体が変形したり雨戸パネルを走行させるための上枠や下枠の溝部が部分的に擦り減ったりしていることがあった。そのため、雨戸パネルをリフォームする際には新たな雨戸パネルの上框や下框の長さを枠体の変形や摩耗等に応じて調整することが必要であった。また、リフォーム用の雨戸パネルが既設の枠体と寸法差がある場合には雨戸パネルの長さを調整する必要があった。
【０００３】
このような建具の上下方向の長さを調整できるものとして、例えば特許文献１に記載された摺り上げ障子が提案されている。この摺り上げ障子では、障子の上框と下框の端部開口にそれぞれ高さ調整可能な調整桟が嵌合されている。しかしながら、特許文献１には上框や下框に対する調整桟の進退調整の構造や方法について具体的に開示されていない。
また、他の雨戸パネルの高さ調整機構では、横框を固定する縦框の固定ねじを緩めた状態で横框を位置決めするねじを締め込むことで進退を調整して、雨戸パネルの高さを調整している。調整後に縦框の固定ねじを締め込むようにしている。
【先行技術文献】
【特許文献】
【０００４】
【特許文献１】実公昭６０−３６７０４号公報
【発明の概要】
【発明が解決しようとする課題】
【０００５】
しかしながら、上述した雨戸パネルの高さ調整機構では、例えば台風等の強風で雨戸パネルが室内側に押された後、雨戸パネルの室外側に吹き戻しの風による負圧が生じた場合、雨戸パネルが室外側に湾曲することがある(図９参照)。この場合、上枠の溝部に対して調整桟が外側に湾曲して当接し負荷がかかると、調整桟が室内側に倒れ込み易くなるという欠点が生じる。また、上枠に対して調整桟が負荷のために上框から外れたり脱落したりしてしまう恐れもあった。
【０００６】
本発明は、このような実情に鑑みてなされたものであり、建具が室外側に湾曲して調整桟に負荷がかかるとしても調整桟が上框から外れたり倒れ込んだりすることを防止できるようにした建具を提供することを目的とする。
【課題を解決するための手段】
【０００７】
本発明による建具は、左右の縦框と上下の横框とでパネルを框組してなる建具において、横框に進退可能な調整桟を取り付けてその進退方向の長さを調整可能とし、縦框の端部にはキャップが設けられ、キャップは調整桟に連結されていることを特徴とする。
本発明によれば、建具の横框に取り付けた調整桟に加えて縦框の端部にキャップを連結したため、キャップによって調整桟の強度が向上し、建具の変形によって枠体との当接で負荷がかかったとしても調整桟が横框から外れたり横框から脱落したりすることを防止できる。
【０００８】
また、縦框とキャップの一方に第１補強部材が固定され、他方に第１補強部材がオーバーラップして配置されていることが好ましい。
建具の変形によって調整桟やキャップに負荷がかかったとしても第１補強部材によって強度を補強できるため変形を抑制して調整桟の倒れ込みや外れ等を防止できる。しかも、建具の室外側に吹き戻しの風による負圧が生じても、縦框とキャップの一方に第１補強部材が固定されて調整桟やキャップが変位したとしても第１補強部材によって他方を補強して変位を抑制するため摺動を許容しつつ調整桟の外れや倒れを抑制できる。
【０００９】
また、縦框は補強芯材を更に備え、第１補強部材と補強芯材とは少なくとも端部が重なるように配置されていることが好ましい。
第１補強部材は縦框に収納された補強芯材と少なくとも端部が重なっていて耐久性と強度を向上できるため、建具の変形による調整桟やキャップの外れや倒れ込み等を防止できる。
【００１０】
また、横框と調整桟との間には第２補強部材が跨って配置され、横框と第２補強部材とパネルとが固定部材で連結されていてもよい。
第２補強部材と固定部材によって横框とパネルの連結強度を向上できるため調整桟を一層高強度に保持して外れや倒れ込み等を抑制できる。
【発明の効果】
【００１１】
本発明による建具によれば、縦框の端部にキャップが設けられ、キャップは横框に進退可能に取り付けられた調整桟に連結されているため、キャップによって調整桟の強度が向上し、建具の変形によって枠体に当接して負荷がかかったとしても調整桟が横框から外れたり、上枠から脱落したりすることを防止できる。
【図面の簡単な説明】
【００１２】
【図１】本発明の第一実施形態による建具の縦断面図である。
【図２】図１に示すリフォーム用の雨戸パネルの要部縦断面図である。
【図３】図２に示す雨戸パネルの上部調整機構の拡大図であり、（ａ）は調整桟が上框の下端にある状態、（ｂ）は調整桟が上框の上端にある状態の図である。
【図４】雨戸パネルの本体部の上部と上框及び調整桟を示す分解図である。
【図５】雨戸パネルの上部に取り付けた上框及び調整桟を示す図である。
【図６】雨戸パネルの下部調整機構の拡大図である。
【図７】下框に取り付けた戸車ユニットを示すものであり、（ａ）は側面図、（ｂ）は正面図である。
【図８】高さ調整した戸車ユニットを示すものであり、（ａ）は側面図、（ｂ）は正面図である。
【図９】雨戸パネルが湾曲した際の調整桟が変位した状態の説明図である。
【図１０】第二実施形態による雨戸パネルの縦断面図である。
【図１１】第二実施形態による雨戸パネルの上部を示す第一コーナーキャップ及び補強鉄芯の分解図である。
【図１２】図１１における上框と調整桟に設けた補強管及び固定ねじを示すＡ−Ａ線拡大図である。
【図１３】雨戸パネルの上部における第二コーナーキャップの分解図である。
【図１４】第二コーナーキャップを取り付けた雨戸パネルの上部調整機構の図である。
【発明を実施するための形態】
【００１３】
以下、本発明の実施形態によるリフォーム用の雨戸パネルについて添付図面により説明する。
図１乃至図８は第一実施形態による建具１の雨戸パネル８の高さ(長さ)調整機構を示すものである。図１に示す既存の建具１の縦断面図において、上枠２及び下枠３と左右の縦枠(図示せず)とで形成される四角形枠状の既存の枠体４内に室内側から室外側に向けて内障子５と外障子６が設置されている。外障子６の更に外側には網戸を介して雨戸パネル８が設置され、雨戸パネル８は図示しない戸袋に収納可能である。雨戸パネル８はリフォームしたものである。
既存の枠体４は上枠２の内面に雨戸パネル８を摺動可能に受け入れる溝部２ａが形成され、下枠３の溝部３ａ内にはその長手方向に沿ってレール溝９が設置されている。上枠２と下枠３の間に雨戸パネル８が摺動可能に設置されている。
【００１４】
既存の建具１は、枠体４が経時的に変形したり部分的にまたは全体的に摩耗していることがあり、枠体４の寸法は施工時のものと相違していることが多い。或いは、新たな雨戸パネル８は既存の枠体４と寸法違いが生じている場合がある。そのため、雨戸パネル８の高さ方向の寸法を調整する必要が生じる場合がある。そのため、本実施形態による雨戸パネル８には高さ調整機構と厚み調整機構を追加している。
【００１５】
図２は雨戸パネル８を示すものであり、上框１３及び下框１４と左右の縦框１５(図４、図５参照)で形成された略四角形状の框体１６内に本体部１７として例えば波状の鋼板からなる面材１１が配設されている。上框１３は左右の縦框１５に当接する位置まで水平方向に延びている。本体部１７の室外側の面に面材１１が取り付けられているが、図では一部を除いて省略している。
【００１６】
図３に示す雨戸パネル８の上部の拡大図において、雨戸パネル８の上框１３はその下部が本体部１７に連結された断面略コの字状の連結部１９を形成し、連結部１９の上部は端部開口２０ａを備えた断面略コの字状の嵌合部２０を形成している。この嵌合部２０には端部開口２０ａを通して調整桟２１が嵌入されて上下方向に進退可能とされている。調整桟２１は上框１３と水平方向に略同一長さに形成されている。
【００１７】
上框１３の断面略コの字状の嵌合部２０は室内側壁面２０ｂと室外側壁面２０ｃとを対向して配設している。室内側壁面２０ｂと室外側壁面２０ｃの各上端部は室内側に曲がった突出部２０ｂａ、２０ｃａを有している。室内側壁面２０ｂに上下方向に所定間隔(例えば５ｍｍ間隔)で複数(例えば４本)のリブ２２が係合部として形成されている。複数のリブ２２は例えば水平線状の突起部が平行に形成されているが、リブ２２はドット状等でもよい。
室内側壁面２０ｂに対向する室外側壁面２０ｃには例えば略Ｌ字状の固定係止部２３が下向きに形成されている。固定係止部２３は適宜高さ、例えば最も高さの高いリブ２２よりも１段下側のリブ２２に対向する位置に設置されている。
【００１８】
調整桟２１は、室内側片部２６及び室外側片部２７とこれら両片部２６、２７を連結する連結板２８とで略断面Ｈ形に形成されている。しかも、調整桟２１の室内側片部２６及び室外側片部２７は上半部が上框１３の嵌合部２０と略同一厚みに設定されて上端に開口し、途中の屈曲部２６ａ、２７ａで内側に屈曲されて上半部より小幅になる下半部が嵌合部２０内に嵌合されている。調整桟２１は上框１３の嵌合部２０の端部開口からスライドして挿入される。
図３（ａ）に示す構成では、屈曲部２６ａ、２７ａは嵌合部２０の突出部２０ｂａ、２０ｃａに着座しており、室内側片部２６の下部には室内側壁面２０ｂのリブ２２に係合可能なように屈曲する係止部２６ｂと雌ねじが形成されたバーリング孔２６ｃが一体形成されている。なお、図３ではバーリング孔２６ｃの一部に係止部２６ｂが形成されているが、両者は別個に形成されていてもよい。
【００１９】
また、嵌合部２０の室内側壁面２０ｂにはリブ２２の設置範囲に亘って上下方向に固定ねじ２９を挿通可能な長孔３０が形成されている(図４、図５参照)。そのため、調整桟２１を上下方向に位置調整した状態で固定ねじ２９を長孔３０を通してバーリング孔２６ｃに螺合して固定可能とされている。室外側片部２７の下端部には室外側に向けて断面略Ｌ字状のストッパー部３１が形成され、ストッパー部３１は嵌合部２０に形成された固定係止部２３に係合可能とされている。
図３（ｂ）に示すように、調整桟２１のストッパー部３１が嵌合部２０の固定係止部２３に係合した状態で、室内側片部２６に形成されたバーリング孔２６ｃの係止部２６ｂは最上部のリブ２２とその下側のリブ２２の間に係合された状態になり、これが調整桟２１を嵌合部２０内で最も上側に上昇した上限位置である。なお、図３（ａ）は調整桟２１を嵌合部２０内で最も下側に降下した下限位置であり、バーリング孔２６ｃの係止部２６ｂが最下端のリブ２２の下側に係止する位置にある。
【００２０】
また、調整桟２１は室外側片部２７の下端部に設けたストッパー部３１が嵌合部２０の室外側壁面２０ｃに当接して進退方向に摺動可能であり、これによって室内側片部２６の下端部に設けたバーリング孔２６ｃの係止部２６ｂが弾性によってリブ２２に押圧されている。そのため、調整桟２１は上框１３の嵌合部２０内で進退して係止部２６ｂが任意の位置でリブ２２に係止可能である。
なお、バーリング孔２６ｃに締め込む固定ねじ２９がバカになったとしても、バーリング孔２６ｃを形成する係止部２６ｂの上下いずれかのリブ２２によって機械的に調整桟２１を係止できる。
【００２１】
図４及び図５に示す雨戸パネル８において、上框１３に嵌合された調整桟２１の両端部には、縦框１５の上端部との角部に端部キャップ３３がそれぞれ設けられている。各端部キャップ３３は例えば樹脂製であり、その内側端部に形成された側面視略三角形状の突起部３４が調整桟２１の端部開口に嵌合され、突起部３４と調整桟２１はねじで固定されている。端部キャップ３３には上下方向に形成された中空部を通して略棒状の補強鉄芯３５が補強部材として挿入されている。
縦框１５内には例えば中空形状の補強用の鉄芯３７が補強芯材として予め挿入されており、補強鉄芯３５は鉄芯３７内にも挿入されてオーバーラップしている。縦框１５の上端部と鉄芯３７と補強鉄芯３５と上框１３は締め込みねじで共締めされている。一方で、補強鉄心３５と端部キャップ３３とは互いに固定されておらず、調整桟２１の上下方向の位置調整に合わせて端部キャップ３３は補強鉄心３５に対して上下方向に摺動可能とされている。なお、調整桟２１は上部調整機構を構成する。また、端部キャップ３３及び補強鉄芯３５は第一補強機構を構成する。
【００２２】
図６は雨戸パネル８の下框１４を示す断面図であり、下框１４は断面略コの字状の下端部を有している。下框１４にはその長手方向に所定間隔で複数の戸車ユニット３９が設置されている。図７及び図８に示すように、戸車ユニット３９は下框１４の下端部に挿入された断面略コの字状の戸車フレーム４０と、戸車フレーム４０の対向する両側面４０ａ間で軸部４１に支持された戸車４２とを備えている。
戸車フレーム４０の上面４０ｂには孔部を通して進退可能な調整ねじ４４が挿入され、上面４０ｂの裏面に設けたナット部４６に螺合されている。調整ねじ４４は逆ねじであり、ねじ頭部４４ａの下側にねじ頭部４４ａと一体形成されたワッシャ４５が設けられている。ワッシャ４５の上面において、下框１４の受け面１４ａにはねじ頭部４４ａより大きくワッシャ４５より小さい穴１４ｂが形成されている。
【００２３】
そのため、図７に示す調整ねじ４４を下端まで締め込んだ状態ではワッシャ４５が下框１４の受け面１４ａに当接した押し込み位置にある。図８に示すように、調整ねじ４４を更に締め込んで頭部４４ａ及びワッシャ４５を戸車ユニット３９から離間する位置まで上方に引き上げると、下框１４の受け面１４ａがワッシャ４５を介して上方に持ち上げられる。そのため、雨戸パネル８を戸車ユニット３９に対して上方に移動させて高さを延ばす高さ調整をすることができる。
この調整ねじ４４及びワッシャ４５は下部調整機構を構成する。
なお、既存の枠体４に対してリフォーム用の雨戸パネル８の厚みが小さくがたつく場合には厚み調整機構として、調整桟２１の切欠き３８に振れ止め用の厚み調整部品３６を取り付け固定し、上枠２の溝部と調整桟２１との見込み幅を厚み調整部品３６で調整する。さらに、戸車ユニット３９を覆う下框１４に厚み調整部品３６を取り付け固定して、下枠３の溝部と下框１４との見込み幅を厚み調整部品３６で調整してもよい。また、上枠２や下枠３の溝部に切欠きを設け、厚み調整部品３６を設置してもよい。これによって雨戸パネル８のガタツキを防止できる。
【００２４】
本第一実施形態による建具１の雨戸パネル８は上述した構成を備えており、次にリフォームに際して枠体４に対して雨戸パネル８の組み立て方法について説明する。
既存の建具１の枠体４に対して既設の雨戸を外して新たな雨戸パネル８を取り付ける。リフォーム用の雨戸パネル８の本体部１７に例えば波状の鋼板である面材１１を嵌め込むと共に左右の縦框１５内に鉄芯３７を挿入する。
次に、図４に示す上框１３の嵌合部２０に調整桟２１の下半部を端部開口からスライドさせて嵌合させる。調整桟２１の両端開口に端部キャップ３３の突起部３４を挿入してねじで調整桟２１に固定する。そして、端部キャップ３３の中空部に下方から補強鉄芯３５を挿入して係止させ、補強鉄芯３５の下部を下方に突出させる。次いで、図５に示すように、補強鉄芯３５が縦框１５の鉄芯３７内に挿入されるように上框１３の連結部１９を本体部１７の上部に取り付ける。
また、雨戸パネル８の本体部１７の下部に戸車ユニット３９を装着した下框１４を取り付ける。最後に上部では縦框１５と鉄芯３７と補強鉄芯３５と上框１３を締め込みねじで共締めする。雨戸パネル８の下部では縦框１５と下框１４と鉄芯３７をねじで共締めすることで雨戸パネル８の組み立てが完了する。
【００２５】
雨戸パネル８は高さ調整をした後で既設の枠体４の上枠２と下枠３の間に嵌め込むか、或いは枠体４に取り付け後に高さ調整する。
取り付け後に高さ調整する場合、雨戸パネル８の上下方向の基準長さとして最も短い長さに設定しておく。即ち、下框１４では調整ねじ４４の頭部４４ａを締め込んで図６及び図７に示すようにワッシャ４５を戸車フレーム４０の上面に当接させる。上框１３では、図３（ａ）に示すように、調整桟２１の屈曲部２６ａ、２７ａを上框１３の嵌合部２０の上端の突出部２０ｂａ，２０ｃａに着座させておく。
なお、上枠２や下枠３が傾いている場合には上枠２及び下枠３間の距離が最も短い位置を基準にして雨戸パネル８の上下方向の長さを調整する。下部の戸車４２の調整には調整ねじ４４の上下方向の締め込み量を調整し、上部の調整桟２１の調整には上框１３の嵌合部２０に対する調整桟２１の上下方向の進退量を調整することで行う。
【００２６】
例えば、雨戸パネル８を７ｍｍ伸長させることで枠体４に取り付け可能である場合には、下框１４の受け面１４ａの孔に嵌合させた調整ねじ４４を締め込んで２ｍｍ上方に引き出す。これによって、戸車ユニット３９に対して下框１４が調整ねじ４４のワッシャ４５に押し上げられて２ｍｍ上昇する。雨戸パネル８の下部を２ｍｍ広げることができる。
【００２７】
一方、図３（ａ）において、上框１３に設けた調整桟２１を固定する固定ねじ２９を緩めて調整桟２１を嵌合部２０の長孔３０に沿って上方に持ち上げ、リブ２２の１つ分上方に移動させる。その際、室内側片部２６のバーリング孔２６ｃの係止部２６ｂが１つのリブ２２を乗り越えることで「カチッ」と音がするため、操作者がリブ２２の１つ分である５ｍｍの上昇を認識できる。しかも、調整桟２１の室内側片部２６の係止部２６ｂと室外側片部２７のストッパー部３１は嵌合部２０の室内側壁面２０ｂと室外側壁面２０ｃに当接しながら上下動するため、調整桟２１は傾斜することなく直線的に昇降する。
また、調整桟２１と一体に固定ねじ２９が長孔３０に沿って上昇するため、固定ねじ２９を再度バーリング孔２６ｃに捩じ込み固定することで調整桟２１を調整済みの位置に固定できる。これによって、雨戸パネル８は上下方向に７ｍｍ長さを調整できる。
【００２８】
なお、調整桟２１の上下方向長さを最大限広げるためには、図３（ｂ）に示すように、調整桟２１の室内側片部２６に設けた係止部２６ｂを最も高い位置のリブ２２とその下のリブ２２の間に移動させればよい。その時に、室外側片部２７の下端部に設けたストッパー部３１が上昇して嵌合部２０の固定係止部２３に係止させられる。これにより、調整桟２１は上框１３に対して２０ｍｍ高さを延ばすことができ、しかも調整桟２１の外れを防止できる。嵌合部２０におけるリブ２２の間隔や配列数を変更することで調整可能な長さを適宜変更できる。
雨戸パネル８の下部においては、下框１４の受け面１４ａと戸車ユニット３９との間に螺合させた調整ねじ４４の軸部の長さによって上下方向の引き伸ばし長さが決定される。
【００２９】
次に既設の枠体４にリフォームのために取り付けられた雨戸パネル８の作用について説明する。
図１において、枠体４に装着されたリフォーム用の雨戸パネル８は下枠３の溝部内に載置され、上端の調整桟２１が上枠２の溝部内で上下方向に隙間を有して係止されている。そして、雨戸パネル８に対して台風等で強風が吹き付けると雨戸パネル８は室内側に湾曲変位し、その後の吹き戻しの風によって室外側が負圧になる。一般に、雨戸パネル８の耐荷重は室内側から室外側へ働く荷重に耐え得る力によって評価されている。
すると、図９に破線で示すように、雨戸パネル８は上下方向の中央が室外側に湾曲して変位するため、雨戸パネル８の下框１４が下枠３の溝部に当接し、調整桟２１が上枠２の溝部に当接する。なお、この際、上枠２と上框１３とが当接しても良い。
【００３０】
そのため、上框１３に係止させられている調整桟２１、そして調整桟２１及び上框１３の連結部に大きな負荷がかかる。特に図３（ｂ）に示すように、上框１３に対する調整桟２１の引き伸ばし量が最大で、上端とその下側のリブ２２に係止部２６ｂが係止すると共にストッパー部３１が固定係止部２３に係止している場合に荷重がかかる。
ストッパー部３１と係止部２６ｂが係止できない位置にある場合でも、調整桟２１の両端部に突起部３４で係止する端部キャップ３３と縦框１５内の鉄芯３７にねじ固定された補強鉄芯３５とがオーバーラップして設置されているため耐荷重を補強できる。そのため、端部キャップ３３及び調整桟２１が上枠２の溝部に当接して湾曲する際に端部キャップ３３と補強キャップ３３に連結された調整桟２１の湾曲が補強鉄芯３５によって抑制され、調整桟２１が上框１３や上枠２から外れたり折損したりすることを阻止できる。
【００３１】
上述のように本実施形態による建具１の雨戸パネル８によれば、上框１３に設けた調整桟２１は、上框１３の嵌合部２０の室内側壁面２０ｂに所定間隔で上下方向に設けた複数のリブ２２を係止部２６ｂが乗り越えることで高さ方向の調整長さを認識できる。しかも、その長さを係止部２６ｂがリブ２２を乗り越える際の「カチッ」という音で把握できる。
また、リフォーム用の雨戸パネル８を既設の枠体４に取り付けた状態で、室外側に吹き返しの負圧が生じて室外側に湾曲した場合でも、調整桟２１の両端に固定した端部キャップ３３と縦框１５内の鉄芯３７との間に補強鉄芯３５をオーバーラップさせたため調整桟２１を補強でき、調整桟２１の外れや変形や折れ等を防止できる。
【００３２】
以上、本発明の実施形態による建具１の雨戸パネル８について詳細に説明したが、本発明は上述の実施形態に限定されることはなく、本発明の要旨を逸脱しない範囲で適宜の変更や置換等が可能であり、これらはいずれも本発明に含まれる。以下に、本発明の他の実施形態や変形例等について説明するが、上述した実施形態と同一または同様な部分、部材には同一の符号を用いて説明を省略する。
【００３３】
例えば、上述した実施形態による雨戸パネル８の構成に代えて、上框１３と調整桟２１との関係でリブ２２を室内側片部２６に係止部２６ｂを室内側壁面２０ｂに配置してもよい。また、リブ２２及び係止部２６ｂの配置を室外側に設け、固定係止部２３及びストッパー部３１の配置を室内側に配置してもよい。
また、固定係止部２３とストッパー部３１は設けなくてもよいが、ストッパー部３１を室外側壁面２０ｃに当接させながら摺動させることで係止部２６ｂをリブ２２に押し付けて当接させることができて係止部２６ｂとリブ２２の係脱がより確実で好ましい。
【００３４】
また、上述の実施形態において、上部補強機構で補強鉄芯３５を端部キャップ３３に固定してもよい。この場合、変形する雨戸パネル８において、調整桟２１及び端部キャップ３３と共に補強鉄芯３５が縦框１５及び鉄芯３７に対してオーバーラップした状態で摺動可能となる。なお、端部キャップ３３は突起部３４を介して調整桟２１に連結して調整桟２１を補強することができる。そのため、端部キャップ３３に補強鉄芯３５は必ずしも設けなくても補強できる。
また、上述した実施形態において、縦框１５内に補強用の鉄芯３７を設けた例について説明したが、鉄芯３７は必ずしも設けなくてもよい。
【００３５】
次に本発明の第二実施形態によるリフォーム用の雨戸パネル８Ａについて図１０〜図１４により説明する。
図１０は雨戸パネル８Ａの縦断面図であり、下框１４に設けた戸車ユニット３９と上框１３に設けた調整桟２１は上述した第一実施形態による雨戸パネル８と同一構成を備えている。第二実施形態における雨戸パネル８Ａは、本体部１７において筐体の内部に断熱材４８として例えば硬質ウレタン等を充填させた断熱性の雨戸パネルである。雨戸パネル８Ａは上述した調整桟２１及び上框１３の第一調整機構を有している。
【００３６】
次に、本第二実施形態による雨戸パネル８Ａにおける調整桟２１の補強構造について図１１〜図１４に基づいてその製造工程に沿って説明する。
本第二実施形態において、調整桟２１は上框１３の嵌合部２０の端部開口に調整桟２１の下半部を端部から水平方向にスライドして嵌入させる。この状態で、図１０乃至図１２に示すように、調整桟２１の連結板２８と上框１３の連結部１９及び嵌合部２０の間の第一接続部１９ａとに貫通孔がそれぞれ形成され、その内部に例えばアルミパイプ製の補強管４９が第２補強部材として挿入されている。
補強管４９の下端部は第一接続部１９ａの下側に形成した第二接続部１９ｂに着座している。第二接続部１９ｂには後述する固定ねじ５０を嵌挿させる小孔が形成されている。しかも、これらの貫通孔及び補強管４９の構成は調整桟２１と上框１３の長手方向に所定間隔で複数(図１１では４個)設けられている。
【００３７】
上框１３の連結部１９の下部には本体部１７の上端開口を形成する凹溝状の上端受け部１７ａが嵌合している。上端受け部１７ａの下面には下向きの凹溝が形成され、本体部１７の断熱材４８が嵌合されている。上端受け部１７ａの底部には下方に向けてバーリング孔１７ｂが形成され、その内部に雌ねじが切られている。
補強管４９には軸部の長い固定ねじ５０が上部から挿通され、その雄ねじ部が第二接続部１９ｂの小孔を貫通して上端受け部１７ａのバーリング孔１７ｂの雌ねじ部に捩じ込まれて固定されている。固定ねじ５０の軸部の先端はバーリング孔１７ｂを通って本体部１７内の断熱材４８に挿入されている。そのため、図１２に示すように、補強管４９は固定ねじ５０の頭部５０ａと連結部１９の第二接続部１９ｂとの間に固定保持され、上框１３と調整桟２１との接続を補強する第一補強機構を構成している。
また、補強管４９は上框１３の上面を貫通して、上框１３の底面である第二接続部１９ｂもしくは連結部１９の上端受け面１７ａに載置または接触していることが好ましい。上框１３を補強管４９が貫通しているので、補強管４９で上框１３を補強でき、上框１３の湾曲に対する抵抗力を増すことができる。しかも、施工時に補強管４９が上框１３の上面と調整桟２１とで位置決めされるので固定ネジ５０を取り付けやすい。
【００３８】
図１１に示す雨戸パネル８Ａの上部コーナー部である上框１３及び調整桟２１の両端部において、有底筒状の第一コーナーキャップ５３を縦框１５の上面に設置して、その内空部に有底筒状の補強鉄芯５４を挿入させた状態で固定ねじ５５によって第一コーナーキャップ５３と補強鉄芯５４の各底部が連結部１９の上端部に固定されている。補強鉄芯５４は第１補強部材である。
図１３及び図１４において、第一コーナーキャップ５３の上面から上方に突出する補強鉄芯５４に有蓋筒状の凹部をなす第二コーナーキャップ５６を嵌合させ、その側部に形成した突起部５７を調整桟２１の端部開口に嵌入させて固定ねじ５８で調整桟２１に固定している。これによって調整桟２１の両端の第二補強機構を構成している。
【００３９】
そのため、雨戸パネル８Ａが室外側や室内側に湾曲した場合でも、第一補強構造の補強管４９と第二補強構造の補強鉄芯５４によって調整桟２１と第一コーナーキャップ５３及び第二コーナーキャップ５６を補強し、これらの湾曲を抑制して外れや折損等を防止できる。
なお、第二補強構造において、補強鉄芯５４を第二コーナーキャップ５６にねじ等で固定して、第一コーナーキャップ５３とオーバーラップさせて摺動可能としてもよい。その際、補強鉄芯５４は第一コーナーキャップ５３を貫通して縦框１５内に進入していてもよい。本実施形態においても、第一実施形態と同様に、厚み調整機構として調整桟２１に切欠き３８を設け、振れ止め用の厚み調整部品３６を取り付け固定してもよい。下框にも同様に厚み調整部品３６を取り付けてもよい。
【００４０】
本第二実施形態による建具１の雨戸パネル８Ａは上述した構成を備えているから、リフォーム時に第一実施形態と同様にリフォーム用の雨戸パネル８Ａを枠体４に取り付ける。その際、上枠２や下枠３等の変形や摩耗や寸法違い等に応じて上框１３の嵌合部２０に嵌入された調整桟２１を進退して雨戸パネル８Ａの高さ調整を行える。その際、調整桟２１の係止部２６ｂが嵌合部２０の室内側壁面２０ｂに設けた複数のリブ２２の少なくとも１つを乗り越えて高さ調整してカチッという音で調整寸法を計測できる。そして、係止部２６ｂが上下のリブ２２の間に係止した状態で固定ねじ２９で締め込み固定できる。
なお、補強管４９と固定ねじ５０の取り付けは調整桟２１の高さ調整後に行うことが好ましいが、取付後に高さ調整してもよい。
【００４１】
また、図９に示す場合のように、雨戸パネル８Ａの室外側に吹き戻しの風による負圧が生じた場合、雨戸パネル８Ａが室外側に湾曲することがある。この場合、上枠２の溝部に対して調整桟２１が外側に湾曲して当接し負荷がかかったとしても、調整桟２１と上框１３との接続部に水平方向に所定間隔で補強管４９を配設して本体部１７の上端受け部１７ａに固定ねじ５０で固定したため補強でき、耐曲げ荷重が大きく調整桟２１の湾曲変形を抑制して上框１３や上枠２からの外れや破損を防止できる。
また、調整桟２１の両端においても、縦框１５の上端に固定した第一コーナーキャップ５３及び補強鉄芯５４に対して調整桟２１に固定した第二コーナーキャップ５６が進退可能に挿入されている。そのため、雨戸パネル８Ａの湾曲で調整桟２１に曲げ荷重が働いても補強鉄芯５４に対して第二コーナーキャップ５６がオーバーラップして補強でき、第二コーナーキャップ５６や調整桟２１の外れや破損等を防止できる。
【００４２】
なお、上述した第一実施形態において、上框１３の上部に補強鉄芯３５を設け、第二実施形態において、上框１３及び調整桟２１の間に補強管４９及び固定ねじ５０を設け、上框１３の上部に補強鉄芯５４を設けたが、これらの補強鉄芯３５、５４や補強管４９は設置しなくてもよい。この場合でも、調整桟２１によって雨戸パネル８，８Ａの高さ調整を行える。しかも端部キャップ３３、第一コーナーキャップ５３、第二コーナーキャップ５６等のキャップで調整桟２１の補強ができる。
また、雨戸パネル８，８Ａの高さ調整に際し、上框１３に設けた調整桟２１と下框１４に設けた調整ねじ４４及びワッシャ４５によって上下で寸法調整するようにしたが、下框１４の調整ねじ４４及びワッシャ４５は設けなくてもよい。調整桟２１だけで高さ調整することができる。
【００４３】
なお、上框１３と下框１４は横框に含まれる。
上述した各実施形態ではリフォームに用いる建具１の高さ調整可能な雨戸パネル８，８Ａについて説明したが、本発明はリフォーム用に限定されるものではなく、新設用やその他の雨戸パネル８，８Ａ等にも適用できる。
また、上述した各実施形態では雨戸パネル８，８Ａにおける高さ調整可能な調整桟２１について説明したが、本発明は雨戸パネル８，８Ａに限定されることなく、障子やＦＩＸ窓等、各種の建具に適用できる。
【符号の説明】
【００４４】
１  建具
２  上枠
３  下枠
４  枠体
８，８Ａ  雨戸パネル
１３  上框
１４  下框
１５  縦框
１７  本体部
１９  連結部
２０  嵌合部
２１  調整桟
２２  リブ
２３  固定係止部
２６ｂ  係止部
２９，５０，５５，５８  固定ねじ
３０  長孔
３１  ストッパー部
３３  端部キャップ
３５、５４  補強鉄芯
３７  鉄芯
３９  戸車ユニット
４４  調整ねじ
４５  ワッシャ
４９  補強管
５３  第一コーナーキャップ
５６  第二コーナーキャップ  
【図１】
2019019543.tif 000003
【図２】
2019019543.tif 000004
【図３】
2019019543.tif 000005
【図４】
2019019543.tif 000006
【図５】
2019019543.tif 000007
【図６】
2019019543.tif 000008
【図７】
2019019543.tif 000009
【図８】
2019019543.tif 000010
【図９】
2019019543.tif 000011
【図１０】
2019019543.tif 000012
【図１１】
2019019543.tif 000013
【図１２】
2019019543.tif 000014
【図１３】
2019019543.tif 000015
【図１４】
2019019543.tif 000016